(57)【要約】      （修正有）【課題】色温度・照度・演色性・配光角が容易に変えられるＬＥＤ照明を、安いコストで提供する。【解決手段】管球タイプのＬＥＤ照明は、電球カバー１を簡単に外して、別の色温度や照度が得られる樹脂で成型した別の電球カバー１に交換できるように、電球カバー１とＬＥＤ照明本体部分２は接着剤などで固定せず、脱着可能な仕様にする。【選択図】図１
0003200483.tif 000002
【実用新案登録請求の範囲】
【請求項１】
管球形ＬＥＤ照明に於いて、電球カバーを容易に脱着可能な構造にしたＬＥＤ電球と、色温度の低い電球色の樹脂で成型した電球カバーや色温度の高い昼白色の樹脂で成型した電球カバー、更には赤色や緑色・橙色などに着色された樹脂を混ぜて成型した電球カバーなど様々な色の電球カバーを組み合わせることによって、光源や電気回路を変えずに、当該ＬＥＤ照明の利用者が容易に色温度・照度・演色性の異なる光を得られることを特徴とした管球形ＬＥＤ照明。
【請求項２】
スポットライト形ＬＥＤ照明に於いて、レンズ付き電球カバーを容易に脱着可能な構造にしたＬＥＤ電球と、配光角の広いレンズを付けた電球カバーや配光角の狭いレンズを付けた電球カバー、更には電球色や昼白色・赤色や緑色・橙色などに着色された樹脂を混ぜて成型したレンズ付き電球カバーなど様々な種類のレンズ付き電球カバーを組み合わせることによって、光源や電気回路を変えずに、当該ＬＥＤ照明の利用者が容易に配光角や色温度・照度・演色性の異なる光を得られることを特徴としたスポットライト形ＬＥＤ照明。
【請求項３】
直管形（蛍光灯形）ＬＥＤ照明に於いて、直管カバーを容易に脱着可能な構造にしたＬＥＤ照明と、色温度の低い電球色の樹脂で成型した直管カバーや色温度の高い昼白色の樹脂で成型した直管カバー、更には赤色や緑色・橙色などに着色された樹脂を混ぜて成型した直管カバーなど様々な色の直管カバーを組み合わせることによって、光源や電気回路を変えずに、当該ＬＥＤ照明の利用者が容易に色温度・照度・演色性の異なる光を得られることを特徴とした直管形（蛍光灯形）ＬＥＤ照明。
【考案の詳細な説明】
【技術分野】
【０００１】
本考案は、容易に色温度・照度・演色性・配光角を変えられる管球形（電球形やスポットライト形を含む）・直管形（蛍光灯形）などのＬＥＤ照明に関するものである。
【背景技術】
【０００２】
従来、白熱電球や蛍光灯などはＬＥＤ照明に比べ寿命が短く消耗品に分類され、色温度・照度・演色性などの違う照明が必要な場合は、それぞれ別々に購入し、予備も別々に保管する必要があった。
【０００３】
更に、白熱電球や蛍光灯などは発光部分にガスを充填する必要があり、電球カバー（ガラス部分）を開閉させることはできなかった。
【考案の概要】
【考案が解決しようとする課題】
【０００４】
色温度・照度・演色性・配光角などの違うＬＥＤ照明を別々に購入し、それぞれの予備も別々に保管するには経済的負担やスペース・管理の負担が大きい。特に短期間で季節ごとに照明を変えたり数年ごとに内装を変える必要のある店舗では、前述の負担が大きくなる為その欠点を解決しようとするものである。
【課題を解決するための手段】
【０００５】
課題を解決する為の手段として、色温度・照度・演色性・配光角の異なる電球カバーと電球カバー部分が脱着可能なＬＥＤ照明を組み合わせた当該考案のＬＥＤ照明を提供する。
【０００６】
既に照明コントロール装置を接続したり無線或は有線スイッチで照明と離れた所から色温度などを変えられるＬＥＤ照明は製品化されているが、単機能のＬＥＤ照明と比べると高価で経済的負担が大きい。当該考案は、ＬＥＤ照明の光源や電気回路を変えることなく電球カバーを変えることにより製造コストを抑え、様々な光を演出できるＬＥＤ照明でありながらコスト面での課題も同時に解決するものである。
【考案の効果】
【０００７】
前述したように、色温度・照度・演色性・配光角の異なる電球カバーと電球カバー部分が脱着可能なＬＥＤ照明を組み合わせた当該考案のＬＥＤ照明を提供することにより、電球色と昼白色のＬＥＤ照明を別々に用意したり、照度や配光角の異なるＬＥＤ照明を別々に購入するなどの必要が無くなる。
【０００８】
特に白熱球や蛍光灯などの照明は、省エネ且つ長寿命という大きなメリットがあるＬＥＤ照明に入れ替わりつつあり、今までの消耗品としての概念から１０年〜２０年以上使える備品として長期的な運用まで考える必要性が生まれつつある。その為、将来的に他の場所で使うことになったとしても、その場所に合わせて色温度や照度・演色性・配光角を変えて使うことができるＬＥＤ照明は有用性が高い。
【図面の簡単な説明】
【０００９】
【図１】管球タイプ（電球形）ＬＥＤ照明の側面図
【図２】管球タイプ（スポットライト形）ＬＥＤ照明の側面図
【図３】直管タイプ（蛍光灯形）ＬＥＤ照明の平面図
【図４】直管タイプ（蛍光灯形）ＬＥＤ照明の断面図
【考案を実施するための形態】
【００１０】
管球タイプのＬＥＤ照明は、１の電球カバーを簡単に外して、別の色温度や照度が得られる樹脂で成型した別の電球カバーに交換できるように、１の電球カバーと２のＬＥＤ照明本体部分は接着剤などで固定せず、脱着可能な仕様にする。
【００１１】
スポットライト形のＬＥＤ照明は、４のレンズ付き電球カバーを簡単に外して、別の色温度や照度が得られる樹脂で成型した別のレンズ付き電球カバーや、配光角が異なるレンズを付けた別のレンズ付き電球カバーに交換できるように、４のレンズ付き電球カバーと５のＬＥＤ照明本体部分は接着剤などで固定せず、脱着可能な仕様にする。
【００１２】
直管（蛍光灯）タイプのＬＥＤ照明は、９の直管カバーが１０の電源回路部分や１１のＬＥＤ素子を含むＬＥＤ本体部分から脱着可能な仕様にしておき、別の色温度や照度が得られる樹脂で成型した別の直管カバーに容易に交換できるようにしておく。
【実施例】
【００１３】
以下、添付図面に従って実施例を説明する。１は光を透す電球カバー部分で、２の電球形ＬＥＤ照明本体部分に接着剤などで固定せず、簡単に取り外せる仕様にする。
【００１４】
例えば、電球色の光を得たい場合は、電球色の色温度が得られる樹脂で成型した別の電球カバーに交換する。
【００１５】
或いは赤色を鮮やかに見せたい場合には、赤色を含んだ樹脂で成型した別の電球カバーに交換すれば、白色ＬＥＤの分光分布で最も弱いとされる赤色光を補って生鮮食料品の肉やトマトの赤色が鮮やかに見える等演色性がアップし、顔色が青白く見えるのを防ぐことも可能になる。
【符号の説明】
【００１６】
１  管球タイプ（電球形）ＬＥＤ照明の電球カバー部分
２  管球タイプ（電球形）ＬＥＤ照明の本体部分
３  管球タイプ（電球形）ＬＥＤ照明の口金部分
４  管球タイプ（スポットライト形）ＬＥＤ照明のレンズ付き電球カバー部分
５  管球タイプ（スポットライト形）ＬＥＤ照明の本体部分
６  管球タイプ（スポットライト形）ＬＥＤ照明の口金部分
７  直管タイプ（蛍光灯形）ＬＥＤ照明の直管カバー部分
８直管タイプ（蛍光灯形）ＬＥＤ照明の口金部分
９  直管タイプ（蛍光灯形）ＬＥＤ照明の直管カバー部分
１０  直管タイプ（蛍光灯形）ＬＥＤ照明の電源回路部分
１１  直管タイプ（蛍光灯形）ＬＥＤ照明のＬＥＤ素子（ＬＥＤチップ）部分
【図１】
0003200483.tif 000003
【図２】
0003200483.tif 000004
【図３】
0003200483.tif 000005
【図４】
0003200483.tif 000006